【手続補正書】
【提出日】平成17年3月17日(2005.3.17)
【手続補正１】
【補正対象書類名】明細書
【補正対象項目名】発明の名称
【補正方法】変更
【補正の内容】
【発明の名称】情報信号処理装置、情報信号処理方法、係数種データ生成装置、係数データ生成装置、プログラムおよびコンピュータ読み取り可能な媒体
【手続補正２】
【補正対象書類名】明細書
【補正対象項目名】特許請求の範囲
【補正方法】変更
【補正の内容】
【特許請求の範囲】
【請求項１】
符号化されたデジタル情報信号を復号化することによって生成される、複数の情報データからなる第１の情報信号を、複数の情報データからなる第２の情報信号に変換する情報信号処理装置であって、
上記第１の情報信号に基づいて、上記第２の情報信号における注目位置の周辺に位置する複数の第１の情報データを選択する第１のデータ選択手段と、
上記第１のデータ選択手段で選択された上記複数の第１の情報データに基づいて、上記注目位置の情報データが属するクラスを検出するクラス検出手段と、
上記第２の情報信号によって得られる出力の質を定めるパラメータの値が入力されるパラメータ入力手段と、
上記クラス検出手段で検出されたクラスおよび上記パラメータ入力手段に入力されたパラメータの値に対応して、上記注目位置の情報データを生成する情報データ生成手段とを備え、
上記情報データ生成手段は、上記符号化されたデジタル情報信号と同様に符号化されたデジタル情報信号を上記パラメータの値に応じて処理して得られた信号に基づいて予め生成された所定データを用いて、上記注目位置の情報データを生成する
ことを特徴とする情報信号処理装置。
【請求項２】
上記情報データ生成手段は、
上記所定データを用いて、上記クラス検出手段で検出されたクラスおよび上記パラメータ入力手段に入力されたパラメータの値に対応した、推定式で用いられる係数データを発生する係数データ発生手段と、
上記第１の情報信号に基づいて、上記第２の情報信号における注目位置の周辺に位置する複数の第２の情報データを選択する第２のデータ選択手段と、
上記係数データ発生手段で発生された係数データと上記第２のデータ選択手段で選択された複数の第２の情報データとを用いて、上記推定式に基づいて上記注目位置の情報データを算出して得る演算手段とを有する
ことを特徴とする請求項１に記載の情報信号処理装置。
【請求項３】
上記符号化されたデジタル情報信号には、該デジタル情報信号を復号化する際に用いられる付加情報が付加されており、
上記クラス検出手段は、上記複数の第１のデータと共に上記付加情報に基づいて、上記注目位置の情報データが属するクラスを検出する
ことを特徴とする請求項１に記載の情報信号処理装置。
【請求項４】
上記係数データ発生手段は、
上記推定式で用いられる係数データを生成する上記パラメータを含む生成式における係数データである、上記所定データとしての係数種データを、クラス毎に格納する第１の記憶手段と、
上記第１の記憶手段に格納されている係数種データと上記パラメータ入力手段に入力されたパラメータの値とを用いて、上記生成式に基づいて、クラス毎に上記推定式の係数データを生成する係数データ生成手段と、
上記係数データ生成手段で生成された各クラスにおける上記推定式の係数データを格納する第２の記憶手段と、
上記第２の記憶手段より上記クラス検出手段で検出されたクラスに対応した上記推定式の係数データを読み出して出力するデータ読み出し手段とを有する
ことを特徴とする請求項２に記載の情報信号処理装置。
【請求項５】
上記係数種データは、
それぞれ上記パラメータの複数の値に応じて生成され、上記第１の情報信号に対応した複数の生徒信号と、上記第２の情報信号に対応した教師信号とを用いて予め生成される
ことを特徴とする請求項４に記載の情報信号処理装置。
【請求項６】
上記生徒信号は、上記教師信号を符号化して得られたデジタル情報信号を復号化することで得られ、
上記復号化の過程で上記パラメータの値に応じて信号を変化させることで該パラメータの値に対応した生徒信号を得る
ことを特徴とする請求項５に記載の情報信号処理装置。
【請求項７】
上記符号化は直交変換を伴う符号化である
ことを特徴とする請求項１に記載の情報信号処理装置。
【請求項８】
上記符号化は直交変換を伴う符号化であって、
上記復号化の過程で上記パラメータの値に応じて、逆直交変換を行う際に用いられる少なくとも周波数係数または逆変換基底のいずれかを変更する
ことを特徴とする請求項６に記載の情報信号処理装置。
【請求項９】
上記周波数係数のうち全てのＡＣ係数のゲインを同じ値として、上記パラメータの値に応じて上記ゲインを変更する
ことを特徴とする請求項８に記載の情報信号処理装置。
【請求項１０】
上記周波数係数は量子化されたものであり、上記周波数係数のうちＤＣ係数の量子化ステップを上記パラメータの値に応じて変更する
ことを特徴とする請求項８に記載の情報信号処理装置。
【請求項１１】
上記周波数係数のうちＡＣ係数のゲインを高域程小さくすると共に、該ＡＣ係数の高域のゲインの低下の度合いを上記パラメータの値に応じて変更する
ことを特徴とする請求項８に記載の情報信号処理装置。
【請求項１２】
少なくとも上記周波数係数または上記逆変換基底にランダムノイズを付加すると共に、上記ランダムノイズのレベルを上記パラメータの値に応じて変更する
ことを特徴とする請求項８に記載の情報信号処理装置。
【請求項１３】
上記係数データ発生手段は、
上記クラスおよび上記パラメータの値の各組み合わせにおける、上記所定データとしての上記推定式の係数データを格納する第１の記憶手段と、
上記第１の記憶手段より上記パラメータ入力手段に入力されたパラメータの値に対応する各クラスにおける上記推定式の係数データを読み出す第１のデータ読み出し手段と、
上記第１のデータ読み出し手段で読み出された各クラスにおける上記推定式の係数データを格納する第２の記憶手段と、
上記第２の記憶手段より上記クラス検出手段で検出されたクラスに対応した上記推定式の係数データを読み出して出力する第２のデータ読み出し手段とを有する
ことを特徴とする請求項２に記載の情報信号処理装置。
【請求項１４】
上記パラメータの複数の値に対応した係数データは、
それぞれ上記パラメータの複数の値に応じて生成され、上記第１の情報信号に対応した複数の生徒信号と、上記第２の情報信号に対応した教師信号とを用いて予め生成される
ことを特徴とする請求項１３に記載の情報信号処理装置。
【請求項１５】
上記生徒信号は、上記教師信号を符号化して得られたデジタル情報信号を復号化することで得られ、
上記復号化の過程で上記パラメータの値に応じて信号を変化させることで該パラメータの値に対応した生徒信号を得る
ことを特徴とする請求項１４に記載の情報信号処理装置。
【請求項１６】
上記符号化は直交変換を伴う符号化であって、
上記復号化の過程で上記パラメータの値に応じて、逆直交変換を行う際に用いられる少なくとも周波数係数または逆変換基底のいずれかを変更する
ことを特徴とする請求項１５に記載の情報信号処理装置。
【請求項１７】
上記周波数係数のうち全てのＡＣ係数のゲインを同じ値として、上記パラメータの値に応じて上記ゲインを変更する
ことを特徴とする請求項１６に記載の情報信号処理装置。
【請求項１８】
上記周波数係数は量子化されたものであり、上記周波数係数のうちＤＣ係数の量子化ステップを上記パラメータの値に応じて変更する
ことを特徴とする請求項１６に記載の情報信号処理装置。
【請求項１９】
上記周波数係数のうちＡＣ係数のゲインを高域程小さくすると共に、該ＡＣ係数の高域のゲインの低下の度合いを上記パラメータの値に応じて変更する
ことを特徴とする請求項１６に記載の情報信号処理装置。
【請求項２０】
少なくとも上記周波数係数または上記逆変換基底にランダムノイズを付加すると共に、上記ランダムノイズのレベルを上記パラメータの値に応じて変更する
ことを特徴とする請求項１６に記載の情報信号処理装置。
【請求項２１】
符号化されたデジタル情報信号を復号化することによって生成される、複数の情報データからなる第１の情報信号を、複数の情報データからなる第２の情報信号に変換する情報信号処理方法であって、
上記第１の情報信号に基づいて、上記第２の情報信号における注目位置の周辺に位置する複数の第１の情報データを選択する第１のステップと、
上記第１のステップで選択された上記複数の第１の情報データに基づいて、上記注目位置の情報データが属するクラスを検出する第２のステップと、
上記第２の情報信号によって得られる出力の質を定めるパラメータの値を取得する第３のステップと、
上記第２のステップで検出されたクラスおよび上記第２のステップで取得されたパラメータの値に対応して、上記注目位置の情報データを生成する第４のステップとを備え、
上記第４のステップでは、上記符号化されたデジタル情報信号と同様に符号化されたデジタル情報信号を上記パラメータの値に応じて処理して得られた信号に基づいて予め生成された所定データを用いて、上記注目位置の情報データを生成する
ことを特徴とする情報信号処理方法。
【請求項２２】
符号化されたデジタル情報信号を復号化することによって生成される、複数の情報データからなる第１の情報信号を、複数の情報データからなる第２の情報信号に変換するために、
上記第１の情報信号に基づいて、上記第２の情報信号における注目位置の周辺に位置する複数の第１の情報データを選択する第１のステップと、
上記第１のステップで選択された上記複数の第１の情報データに基づいて、上記注目位置の情報データが属するクラスを検出する第２のステップと、
上記第２の情報信号によって得られる出力の質を定めるパラメータの値を取得する第３のステップと、
上記第２のステップで検出されたクラスおよび上記第２のステップで取得されたパラメータの値に対応して、上記注目位置の情報データを生成する第４のステップとを有し、
上記第４のステップでは、上記符号化されたデジタル情報信号と同様に符号化されたデジタル情報信号を上記パラメータの値に応じて処理して得られた信号に基づいて予め生成された所定データを用いて、上記注目位置の情報データを生成する情報信号処理方法をコンピュータに実行させるためのプログラムを記録したコンピュータ読み取り可能な媒体。
【請求項２３】
符号化されたデジタル情報信号を復号化することによって生成される、複数の情報データからなる第１の情報信号を、複数の情報データからなる第２の情報信号に変換するために、
上記第１の情報信号に基づいて、上記第２の情報信号における注目位置の周辺に位置する複数の第１の情報データを選択する第１のステップと、
上記第１のステップで選択された上記複数の第１の情報データに基づいて、上記注目位置の情報データが属するクラスを検出する第２のステップと、
上記第２の情報信号によって得られる出力の質を定めるパラメータの値を取得する第３のステップと、
上記第２のステップで検出されたクラスおよび上記第２のステップで取得されたパラメータの値に対応して、上記注目位置の情報データを生成する第４のステップとを有し、
上記第４のステップでは、上記符号化されたデジタル情報信号と同様に符号化されたデジタル情報信号を上記パラメータの値に応じて処理して得られた信号に基づいて予め生成された所定データを用いて、上記注目位置の情報データを生成する情報信号処理方法をコンピュータに実行させるためのプログラム。
【請求項２４】
上記情報データ生成手段は、
上記所定データを用いて、上記クラス検出手段で検出されたクラスおよび上記パラメータ入力手段に入力されたパラメータの値に対応した、差分データを発生する差分データ発生手段と、
上記第１の情報信号を構成する複数の情報データのうち、上記第２の情報信号における注目位置に対応した第２の情報データに、上記差分データ発生手段で発生された差分データを加算して上記注目位置の情報データを得る加算手段とを有する
ことを特徴とする請求項１に記載の情報信号処理装置。
【請求項２５】
上記差分データ発生手段は、
上記クラスおよび上記パラメータの値の組み合わせ毎の、上記所定データとしての上記差分データを格納する記憶手段と、
上記記憶手段より上記クラス検出手段で検出されたクラスおよび上記パラメータ入力手段に入力されたパラメータの値に対応する差分データを読み出すデータ読み出し手段とを有する
ことを特徴とする請求項２４に記載の情報信号処理装置。
【請求項２６】
上記パラメータの複数の値に対応した差分データは、
それぞれ上記パラメータの複数の値に応じて生成され、上記第１の情報信号に対応した複数の生徒信号と、上記第２の情報信号に対応した教師信号とを用いて予め生成される
ことを特徴とする請求項２５に記載の情報信号処理装置。
【請求項２７】
上記生徒信号は、上記教師信号を符号化して得られたデジタル情報信号を復号化することで得られ、
上記復号化の過程で上記パラメータの値に応じて信号を変化させることで該パラメータの値に対応した生徒信号を得る
ことを特徴とする請求項２６に記載の情報信号処理装置。
【請求項２８】
上記符号化は直交変換を伴う符号化であって、
上記復号化の過程で上記パラメータの値に応じて、逆直交変換を行う際に用いられる少なくとも周波数係数または逆変換基底のいずれかを変更する
ことを特徴とする請求項２７に記載の情報信号処理装置。
【請求項２９】
上記周波数係数のうち全てのＡＣ係数のゲインを同じ値として、上記パラメータの値に応じて上記ゲインを変更する
ことを特徴とする請求項２８に記載の情報信号処理装置。
【請求項３０】
上記周波数係数は量子化されたものであり、上記周波数係数のうちＤＣ係数の量子化ステップを上記パラメータの値に応じて変更する
ことを特徴とする請求項２８に記載の情報信号処理装置。
【請求項３１】
上記周波数係数のうちＡＣ係数のゲインを高域程小さくすると共に、該ＡＣ係数の高域のゲインの低下の度合いを上記パラメータの値に応じて変更する
ことを特徴とする請求項２８に記載の情報信号処理装置。
【請求項３２】
少なくとも上記周波数係数または上記逆変換基底にランダムノイズを付加すると共に、上記ランダムノイズのレベルを上記パラメータの値に応じて変更する
ことを特徴とする請求項２８に記載の情報信号処理装置。
【請求項３３】
上記係数データ生成手段は、
上記クラス検出手段で検出されたクラスおよび上記パラメータ入力手段に入力されたパラメータの値に対応した、直交変換により得られる周波数係数の差分データを発生する差分データ発生手段と、
上記第１の情報信号を構成する複数の情報データのうち、上記第２の情報信号における注目位置に対応した第２の情報データに対して直交変換を行う直交変換手段と、
上記直交変換手段より出力される周波数係数に上記差分データ発生手段で発生された差分データを加算する加算手段と、
上記加算手段より出力される周波数係数に対して逆直交変換を行って上記注目位置の情報データを得る逆直交変換手段とを有する
ことを特徴とする請求項１に記載の情報信号処理装置。
【請求項３４】
上記差分データ発生手段は、
上記クラスおよび上記パラメータの値の組み合わせ毎の、上記差分データを格納する記憶手段と、
上記記憶手段より上記クラス検出手段で検出されたクラスおよび上記パラメータ入力手段に入力されたパラメータの値に対応する差分データを読み出すデータ読み出し手段とを有する
ことを特徴とする請求項３３に記載の情報信号処理装置。
【請求項３５】
上記パラメータの複数の値に対応した差分データは、
それぞれ上記パラメータの複数の値に応じて生成され、上記第１の情報信号に対応した複数の生徒信号と、上記第２の情報信号に対応した教師信号とを用いて予め生成される
ことを特徴とする請求項３４に記載の情報信号処理装置。
【請求項３６】
上記生徒信号は、上記教師信号を符号化して得られたデジタル情報信号を復号化することで得られ、
上記復号化の過程で上記パラメータの値に応じて信号を変化させることで該パラメータの値に対応した生徒信号を得る
ことを特徴とする請求項３５に記載の情報信号処理装置。
【請求項３７】
上記符号化は直交変換を伴う符号化であって、
上記復号化の過程で上記パラメータの値に応じて、逆直交変換を行う際に用いられる少なくとも周波数係数または逆変換基底のいずれかを変更する
ことを特徴とする請求項３６に記載の情報信号処理装置。
【請求項３８】
上記周波数係数のうち全てのＡＣ係数のゲインを同じ値として、上記パラメータの値に応じて上記ゲインを変更する
ことを特徴とする請求項３７に記載の情報信号処理装置。
【請求項３９】
上記周波数係数は量子化されたものであり、上記周波数係数のうちＤＣ係数の量子化ステップを上記パラメータの値に応じて変更する
ことを特徴とする請求項３７に記載の情報信号処理装置。
【請求項４０】
上記周波数係数のうちＡＣ係数のゲインを高域程小さくすると共に、該ＡＣ係数の高域のゲインの低下の度合いを上記パラメータに値に応じて変更する
ことを特徴とする請求項３７に記載の情報信号処理装置。
【請求項４１】
少なくとも上記周波数係数または上記逆変換基底にランダムノイズを付加すると共に、上記ランダムノイズのレベルを上記パラメータの値に応じて変更する
ことを特徴とする請求項３７に記載の情報信号処理装置。
【請求項４２】
符号化されたデジタル情報信号を復号化することによって生成される、複数の情報データからなる第１の情報信号を、複数の情報データからなる第２の情報信号に変換する情報信号に変換する際に使用される推定式で用いられる係数データを生成するための生成式における係数データである係数種データを生成する装置であって、
上記生成式に含まれるパラメータに対応し、上記第１の情報信号に対応する生徒信号によって得られる出力の質を定めるパラメータの値が入力されるパラメータ入力手段と、
上記第２の情報信号に対応する教師信号が符号化されて得られたデジタル情報信号を復号化し、該復号化の過程で上記パラメータ入力手段に入力されるパラメータの値に応じて信号を変化させ、該パラメータの値に対応した生徒信号を得る復号化手段と、
上記復号化手段より出力される生徒信号に基づいて、上記教師信号における注目位置の周辺に位置する複数の第１の情報データを選択する第１のデータ選択手段と、
上記第１のデータ選択手段で選択された上記複数の第１の情報データに基づいて、上記注目位置の情報データが属するクラスを検出するクラス検出手段と、
上記復号化手段より出力される生徒信号に基づいて、上記教師信号における注目位置の周辺に位置する複数の第２の情報データを選択する第２のデータ選択手段と、
上記クラス検出手段で検出されたクラス、上記第２のデータ選択手段で選択された複数の第２の情報データおよび上記教師信号における注目位置の情報データを用いて、クラス毎に、上記係数種データを求める演算手段と
を備えることを特徴とする係数種データ生成装置。
【請求項４３】
符号化されたデジタル情報信号を復号化することによって生成される、複数の情報データからなる第１の情報信号を、複数の情報データからなる第２の情報信号に変換する際に使用される推定式の係数データを生成する装置であって、
上記第１の情報信号に対応する生徒信号によって得られる出力の質を定めるパラメータの値が入力されるパラメータ入力手段と、
上記第２の情報信号に対応する教師信号が符号化されて得られたデジタル情報信号を復号化し、該復号化の過程で上記パラメータ入力手段に入力されるパラメータの値に応じて信号を変化させ、該パラメータの値に対応した生徒信号を得る復号化手段と、
上記復号化手段より出力される生徒信号に基づいて、上記教師信号における注目位置の周辺に位置する複数の第１の情報データを選択する第１のデータ選択手段と、
上記第１のデータ選択手段で選択された上記複数の第１の情報データに基づいて、上記注目位置の情報データが属するクラスを検出するクラス検出手段と、
上記復号化手段より出力される生徒信号に基づいて、上記教師信号における注目位置の周辺に位置する複数の第２の情報データを選択する第２のデータ選択手段と、
上記クラス検出手段で検出されたクラス、上記第２のデータ選択手段で選択された複数の第２の情報データおよび上記教師信号における注目位置の情報データを用いて、上記クラスおよび上記パラメータの値の組み合わせ毎に、上記係数データを求める演算手段と
を備えることを特徴とする係数データ生成装置。
【手続補正３】
【補正対象書類名】明細書
【補正対象項目名】０００１
【補正方法】変更
【補正の内容】
【０００１】
【発明の属する技術分野】
この発明は、情報信号処理装置、情報信号処理方法、係数種データ生成装置、係数データ生成装置、プログラムおよびコンピュータ読み取り可能な媒体に関する。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００３１
【補正方法】削除
【補正の内容】
【手続補正７】
【補正対象書類名】明細書
【補正対象項目名】００３２
【補正方法】削除
【補正の内容】
【手続補正８】
【補正対象書類名】明細書
【補正対象項目名】００３３
【補正方法】変更
【補正の内容】
【００３３】
この発明においては、第１の情報信号に対応する生徒信号によって得られる出力の質を定めるパラメータの値が入力される。そして、第２の情報信号に対応する教師信号が符号化されて得られるデジタル情報信号が復号化されて生徒信号が得られるが、この復号化の過程で入力されたパラメータの値に応じて信号を変化させることで、このパラメータの値に対応した生徒信号が得られる。
【手続補正９】
【補正対象書類名】明細書
【補正対象項目名】００４４
【補正方法】削除
【補正の内容】
【手続補正１０】
【補正対象書類名】明細書
【補正対象項目名】００４５
【補正方法】削除
【補正の内容】
【手続補正１１】
【補正対象書類名】明細書
【補正対象項目名】００４６
【補正方法】変更
【補正の内容】
【００４６】
この発明においては、第１の情報信号に対応する生徒信号によって得られる出力の質を定めるパラメータの値が入力される。そして、第２の情報信号に対応する教師信号が符号化されて得られるデジタル情報信号復号化されて生徒信号が得られるが、この復号化の過程で入力されたパラメータの値に応じて信号を変化させることで、このパラメータの値に対応した生徒信号が得られる。
【手続補正１２】
【補正対象書類名】明細書
【補正対象項目名】００５２
【補正方法】削除
【補正の内容】
【手続補正１３】
【補正対象書類名】明細書
【補正対象項目名】００５３
【補正方法】削除
【補正の内容】
【手続補正１４】
【補正対象書類名】明細書
【補正対象項目名】００５４
【補正方法】削除
【補正の内容】
【手続補正１５】
【補正対象書類名】明細書
【補正対象項目名】００５５
【補正方法】削除
【補正の内容】
【手続補正１６】
【補正対象書類名】明細書
【補正対象項目名】００５６
【補正方法】削除
【補正の内容】
【手続補正１７】
【補正対象書類名】明細書
【補正対象項目名】００５７
【補正方法】削除
【補正の内容】
【手続補正１８】
【補正対象書類名】明細書
【補正対象項目名】００５８
【補正方法】削除
【補正の内容】
【手続補正１９】
【補正対象書類名】明細書
【補正対象項目名】００５９
【補正方法】削除
【補正の内容】
【手続補正２０】
【補正対象書類名】明細書
【補正対象項目名】００６０
【補正方法】削除
【補正の内容】
【手続補正２１】
【補正対象書類名】明細書
【補正対象項目名】００６１
【補正方法】削除
【補正の内容】
【手続補正２２】
【補正対象書類名】明細書
【補正対象項目名】００６２
【補正方法】削除
【補正の内容】
【手続補正２３】
【補正対象書類名】明細書
【補正対象項目名】００６３
【補正方法】削除
【補正の内容】
【手続補正２４】
【補正対象書類名】明細書
【補正対象項目名】００６４
【補正方法】削除
【補正の内容】
【手続補正２５】
【補正対象書類名】明細書
【補正対象項目名】００６５
【補正方法】削除
【補正の内容】
【手続補正２６】
【補正対象書類名】明細書
【補正対象項目名】００６６
【補正方法】削除
【補正の内容】
【手続補正２７】
【補正対象書類名】明細書
【補正対象項目名】００６７
【補正方法】削除
【補正の内容】
【手続補正２８】
【補正対象書類名】明細書
【補正対象項目名】００６８
【補正方法】削除
【補正の内容】
【手続補正２９】
【補正対象書類名】明細書
【補正対象項目名】００６９
【補正方法】削除
【補正の内容】
【手続補正３０】
【補正対象書類名】明細書
【補正対象項目名】００７０
【補正方法】削除
【補正の内容】
【手続補正３１】
【補正対象書類名】明細書
【補正対象項目名】００７１
【補正方法】削除
【補正の内容】
【手続補正３２】
【補正対象書類名】明細書
【補正対象項目名】００７２
【補正方法】削除
【補正の内容】
【手続補正３３】
【補正対象書類名】明細書
【補正対象項目名】００７３
【補正方法】削除
【補正の内容】
【手続補正３４】
【補正対象書類名】明細書
【補正対象項目名】００７４
【補正方法】削除
【補正の内容】
【手続補正３５】
【補正対象書類名】明細書
【補正対象項目名】００７５
【補正方法】削除
【補正の内容】
【手続補正３６】
【補正対象書類名】明細書
【補正対象項目名】００７６
【補正方法】削除
【補正の内容】
【手続補正３７】
【補正対象書類名】明細書
【補正対象項目名】００７７
【補正方法】削除
【補正の内容】
【手続補正３８】
【補正対象書類名】明細書
【補正対象項目名】００７８
【補正方法】削除
【補正の内容】
【手続補正３９】
【補正対象書類名】明細書
【補正対象項目名】００７９
【補正方法】削除
【補正の内容】
【手続補正４０】
【補正対象書類名】明細書
【補正対象項目名】００８０
【補正方法】削除
【補正の内容】
【手続補正４１】
【補正対象書類名】明細書
【補正対象項目名】００８１
【補正方法】削除
【補正の内容】
【手続補正４２】
【補正対象書類名】明細書
【補正対象項目名】００８２
【補正方法】削除
【補正の内容】
【手続補正４３】
【補正対象書類名】明細書
【補正対象項目名】００８３
【補正方法】削除
【補正の内容】
【手続補正４４】
【補正対象書類名】明細書
【補正対象項目名】００８４
【補正方法】削除
【補正の内容】
【手続補正４５】
【補正対象書類名】明細書
【補正対象項目名】００８５
【補正方法】削除
【補正の内容】
【手続補正４６】
【補正対象書類名】明細書
【補正対象項目名】００８６
【補正方法】削除
【補正の内容】
【手続補正４７】
【補正対象書類名】明細書
【補正対象項目名】００８７
【補正方法】削除
【補正の内容】
【手続補正４８】
【補正対象書類名】明細書
【補正対象項目名】００８８
【補正方法】削除
【補正の内容】
【手続補正４９】
【補正対象書類名】明細書
【補正対象項目名】００８９
【補正方法】削除
【補正の内容】
【手続補正５０】
【補正対象書類名】明細書
【補正対象項目名】００９０
【補正方法】削除
【補正の内容】
【手続補正５１】
【補正対象書類名】明細書
【補正対象項目名】００９１
【補正方法】削除
【補正の内容】
【手続補正５２】
【補正対象書類名】明細書
【補正対象項目名】００９２
【補正方法】削除
【補正の内容】
【手続補正５３】
【補正対象書類名】明細書
【補正対象項目名】００９３
【補正方法】削除
【補正の内容】
【手続補正５４】
【補正対象書類名】明細書
【補正対象項目名】００９４
【補正方法】削除
【補正の内容】
【手続補正５５】
【補正対象書類名】明細書
【補正対象項目名】００９５
【補正方法】削除
【補正の内容】
【手続補正５６】
【補正対象書類名】明細書
【補正対象項目名】００９６
【補正方法】削除
【補正の内容】
【手続補正５７】
【補正対象書類名】明細書
【補正対象項目名】００９７
【補正方法】削除
【補正の内容】
【手続補正５８】
【補正対象書類名】明細書
【補正対象項目名】００９８
【補正方法】削除
【補正の内容】
【手続補正５９】
【補正対象書類名】明細書
【補正対象項目名】００９９
【補正方法】削除
【補正の内容】
【手続補正６０】
【補正対象書類名】明細書
【補正対象項目名】０１００
【補正方法】削除
【補正の内容】
【手続補正６１】
【補正対象書類名】明細書
【補正対象項目名】０１０１
【補正方法】削除
【補正の内容】
【手続補正６２】
【補正対象書類名】明細書
【補正対象項目名】０１０２
【補正方法】削除
【補正の内容】
【手続補正６３】
【補正対象書類名】明細書
【補正対象項目名】０３０７
【補正方法】変更
【補正の内容】
【０３０７】
このクラスコードＣＬは、蓄積テーブル１３１に読み出しアドレス情報として供給される。蓄積テーブル１３１からは、このクラスコードＣＬに基づいて、画像信号Ｖｂにおける注目位置に対応した１個の差分データＤＦが読み出されて加算部１３４に供給される。
【手続補正６４】
【補正対象書類名】明細書
【補正対象項目名】０３１３
【補正方法】変更
【補正の内容】
【０３１３】
このクラスコードＣＬは、蓄積テーブル１３１に読み出しアドレス情報として供給される。蓄積テーブル１３１からは、このクラスコードＣＬに基づいて、複数個の差分データＤＦが読み出されて加算部１３４に供給される。
【手続補正６５】
【補正対象書類名】明細書
【補正対象項目名】０３４６
【補正方法】変更
【補正の内容】
【０３４６】
そして、ステップＳＴ１０３で、画像信号Ｖａの全フレームまたは全フィールドの処理が終わっているか否かを判定する。処理が終わっているときは、ステップＳＴ１０４で、処理を終了する。一方、処理が終わっていないときは、ステップＳＴ１０５に進む。
【手続補正６６】
【補正対象書類名】明細書
【補正対象項目名】０３５１
【補正方法】変更
【補正の内容】
【０３５１】
次に、ステップＳＴ１１０で、ステップＳＴ１０２で入力された１フレーム分または１フィールド分の画像信号Ｖａの画素データの全領域において画像信号Ｖｂの画素データを得る処理が終了したか否かを判定する。終了しているときは、ステップＳＴ１０２に戻り、次の１フレーム分または１フィールド分の画像信号Ｖａの入力処理に移る。一方、処理が終了していないときは、ステップＳＴ１０６に戻り、上述したと同様の処理を繰り返す。
【手続補正６７】
【補正対象書類名】明細書
【補正対象項目名】０３５４
【補正方法】変更
【補正の内容】
【０３５４】
図２０のフローチャートを参照して、差分データを生成するための処理手順を説明する。
まず、ステップＳＴ１２１で、処理を開始し、ステップＳＴ１２２で、画質パターン（パラメータｐの値で特定される）を選択する。そして、ステップＳＴ１２３で、全ての画質パターンに対し差分データＤＦの生成処理が終わったか否かを判定する。全ての画質パターンに対して差分データＤＦの生成処理が終わっていないときは、ステップＳＴ１２４に進む。
【手続補正６８】
【補正対象書類名】明細書
【補正対象項目名】０３５７
【補正方法】変更
【補正の内容】
【０３５７】
次に、ステップＳＴ１２９で、教師信号の注目位置の画素データｙから、この教師信号の注目位置に対応した、生徒信号の画素データｘを差し引いて差分データｄｆを求める。さらに、このステップＳＴ１２９では、ステップＳＴ１２８で生成されたクラスコードＣＬに基づいて、クラス毎に、平均化処理を施し、差分データＤＦを生成する。